(57)【要約】  【構成】  イメージセンサによって生成されたＹデータは、ビットシフト回路２８ａによってビットシフトを施される。スイッチ２８ｂは、被写界の明るさに応じてビットシフト回路２８ａをオン／オフする。ＣＰＵは、クリップ処理を施されたＹデータに基づいて輝度評価値を評価する。評価された輝度評価値は、乗算器２８ｇによって“２”を掛けられる。スイッチ２８ｉは、被写界の明るさに応じて乗算器２８ｇをオン／オフする。イメージセンサの露光量は、乗算器２８ｇによって求められた掛け算値に基づいて、ＣＰＵによって調整される。  【効果】被写界の明るさに関係なく露光量を正確に調整できる。【選択図】  図２
2006128872.tif 000002
【特許請求の範囲】
【請求項１】
被写界を捉える撮像手段、
前記撮像手段によって捉えられた被写界の明るさを示す輝度データを生成する生成手段、
前記生成手段によって生成された輝度データを前記被写界の明るさが増大するほど減少するゲインに従って減衰する減衰手段、
前記減衰手段によって減衰された輝度データに基づいて前記被写界の明るさを評価する評価手段、
前記評価手段によって求められた評価値に前記被写界の明るさが増大するほど増大する係数を掛け算する演算手段、および
前記演算手段によって求められた掛け算値に基づいて前記撮像手段の露光量を調整する調整手段を備える、電子カメラ。
【請求項２】
前記減衰手段は、前記輝度データにビットシフトを施してデータ値を半減させるビットシフト手段、および前記明るさに応じて前記ビットシフト手段をオン／オフする第１制御手段を含む、請求項１記載の電子カメラ。
【請求項３】
前記演算手段は、前記評価値に“２”を掛け算する掛け算手段、および前記明るさに応じて前記掛け算手段をオン／オフする第２制御手段を含む、請求項２記載の電子カメラ。
【請求項４】
前期被写界には複数のブロックが割り当てられ、
前記評価手段は前記輝度データを被写界に割り当てられたブロック毎に積算する積算手段を含む、請求項１ないし３のいずれかに記載の電子カメラ。
【請求項５】
前記積算手段によって求められた複数の積算値の各々を閾値と比較する比較手段、および
前記比較手段の比較結果に基づいて前記ゲインを決定するゲイン決定手段をさらに備える、請求項４記載の電子カメラ。
【請求項６】
前記比較手段の比較結果に基づいて前記係数を決定する係数決定手段をさらに備える、
請求項５記載の電子カメラ。
【発明の詳細な説明】
【技術分野】
【０００１】
この発明は、露光制御装置に関し、特にたとえば、ビデオカメラに適用され露光を調整する、露光制御装置に関する。
【背景技術】
【０００２】
従来のこの種の装置の一例が、特許文献１に開示されている。この従来技術によれば、高輝度領域の面積が大きいときは画面内のピーク輝度が一定にされ、高輝度領域の面積が小さいときは全画面の平均輝度が一定にされる。これによって、画面内に高輝度部が存在する逆光の環境下もしくは過順光の環境下で被写体が移動したりしても、適切な露光を得る。
【特許文献１】特開平９−４６５８１号公報[H04N  5/238，G03B  7/28]
【発明の開示】
【発明が解決しようとする課題】
【０００３】
しかし、従来技術では、撮像画像の輝度を評価する場合、被写界に関係なく、共通の手順で輝度評価をしている。このため、被写界の明るさによっては輝度を正確に評価することができず、露光量を正確に調整できない恐れがある。
【０００４】
それゆえに、この発明の主たる目的は、被写界の明るさに関係なく露光量を正確に調整することができる、露光制御装置を提供することである。
【課題を解決するための手段】
【０００５】
請求項１の発明に従う電子カメラは、被写界を捉える撮像手段、撮像手段によって捉えられた被写界の明るさを示す輝度データを生成する生成手段、生成手段によって生成された輝度データを被写界の明るさが増大するほど減少するゲインに従って減衰する減衰手段、減衰手段によって減衰された輝度データに基づいて被写界の明るさを評価する評価手段、評価手段によって求められた評価値に被写界の明るさが増大するほど増大する係数を掛け算する演算手段、および演算手段によって求められた掛け算値に基づいて撮像手段の露光量を調整する調整手段を備える。
【０００６】
生成手段は、撮像手段によって捉えられた被写界の明るさを示す輝度データを生成する。生成された輝度データは、被写界の明るさが増大するほど減少するゲインに従って、減衰手段によって減衰される。評価手段は、減衰された輝度データに基づいて被写界の明るさを評価し、演算手段は、評価手段によって求められた評価値に被写界の明るさが増大するほど増大する係数を掛け算する。撮像手段の露光量は、演算手段によって求められた掛け算値に基づいて、調整手段によって調整される。
【０００７】
このように、輝度データは被写界の明るさが増大するほど減少するゲインに従って減衰され、評価値は減衰された輝度データに基づいて求められる。これによって、被写界の明るさが大きく変動するときでも、この明るさを的確に評価することができる。また、求められた評価値は、被写界の明るさが増大するほど増大する係数によって掛け算される。この結果、ゲインに起因する評価値のずれが解消され、共通の手順で露光量を調整することができる。
請求項２の発明に従う電子カメラは、請求項１に従属し、減衰手段は、輝度データにビットシフトを施してデータ値を半減させるビットシフト手段、および明るさに応じてビットシフト手段をオン／オフする第１制御手段を含む。これによって、明るさに応じて異なる減衰動作が実現される。
【０００８】
請求項３の発明に従う電子カメラは、請求項２に従属し、演算手段は、評価値に“２”を掛け算する掛け算手段、および明るさに応じて掛け算手段をオン／オフする第２制御手段を含む。これによって、明るさに応じて異なる掛け算動作が得られる。
【０００９】
請求項４の発明に従う電子カメラは、請求項１ないし３に従属し、被写界には複数のブロックが割り当てられ、評価手段は輝度データを被写界に割り当てられたブロック毎に積算する積算手段を含む。これによって、被写界の明るさを正確に評価できる。
【００１０】
請求項５の発明に従う電子カメラは、請求項４に従属し、積算手段によって求められた複数の積算値の各々を閾値と比較する比較手段、および比較手段の比較結果に基づいて前記ゲインを決定するゲイン決定手段をさらに備える。
【００１１】
請求項６の発明に従う電子カメラは、請求項５に従属し、比較手段の比較結果に基づいて係数を決定する係数決定手段をさらに備える。
記載の露光制御装置。
【発明の効果】
【００１２】
この発明によれば、輝度データは被写界の明るさが増大するほど減少するゲインに従って減衰され、評価値は減衰された輝度データに基づいて求められる。これによって、被写界の明るさが大きく変動するときでも、この明るさを的確に評価することができる。また、求められた評価値は、被写界の明るさが増大するほど増大する係数によって掛け算される。この結果、ゲインに起因する評価値のずれが解消され、共通の手順で露光量を調整することができる。したがって、被写界の明るさに関係なく露光量を正確に調整できる。
【００１３】
この発明の上述の目的，その他の目的，特徴および利点は、図面を参照して行う以下の実施例の詳細な説明から一層明らかとなろう。
【発明を実施するための最良の形態】
【００１４】
図１を参照して、この実施例のディジタルカメラ１０は、オートフォーカス機能を備えており、被写体の光学像は、フォーカスレンズ１２およびメカニカルシャッタ１４の開口部１４ａをしてＣＣＤ（Charge Coupled Device）型のイメージセンサ１６に照射される。撮像面では、光電変換によって被写界像の光学像に対応する電荷つまり生画像信号が生成される。
【００１５】
モードスイッチ３４によって撮影モードが選択されると、スルー画像処理つまり被写界像のリアルタイム動画像（スルー画像）を液晶モニタ４２に表示する処理が実行される。ＣＰＵ３０はまず、プリ露光および間引き読み出しの繰り返しをＴＧ２４に命令する。ＴＧ２４は、イメージセンサ１６のプリ露光とこれによって生成された生画像信号の間引き読み出しとを繰り返し実行する。プリ露光および間引き読み出しは、１／３０秒毎に発生する垂直同期信号に応答して実行される。これによって、被写界の光学像に対応する低解像度の生画像信号が、３０ｆｐｓのフレームレートでイメージセンサ１６から出力される。
【００１６】
出力された各フレームの生画像信号は、ＣＤＳ／ＡＧＣ／ＡＤ回路１８によってノイズ除去，レベル調整およびＡ／Ｄ変換の一連の処理を施される。ＣＤＳ／ＡＧＣ／ＡＤ回路１８からは、ディジタル信号である生画像データが得られる。生画像データは、信号処理回路２６によって、白バランス調整，色分離，ＹＵＶ変換などの信号処理を施され、これによってＹＵＶ形式の画像データに変換される。信号処理回路２６は、バス５２を通して所定量の画像データをメモリ制御回路３６に与え、この所定量の画像データの書き込みリクエストをメモリ制御回路３６に向けて発行する。所定量の画像データは、メモリ制御回路３６によってＳＤＲＡＭ３８に書き込まれる。こうして、画像データは所定量ずつＳＤＲＡＭ３８に格納される。
【００１７】
ビデオエンコーダ４０は、ＳＤＲＡＭ３８に格納された画像データを１／３０秒に１フレームの割合で読み出すべく、読み出しリクエストをメモリ制御回路３６に向けて繰り返し発行する。メモリ制御回路３６は、ＳＤＲＡＭ３８から所定量の画像データを読み出す。読み出された画像データは、バス５２を通してビデオエンコーダ４０に与えられる。ＳＤＲＡＭ３８に格納された画像データは、こうして所定量ずつビデオエンコーダ４０に与えられる。
【００１８】
なお、バス５２上での画像データの転送速度は、信号処理回路２６およびビデオエンコーダ４０の各々の処理速度よりも格段に速い。このため、画像データがバス５２上で衝突することなく、データ転送処理が破綻することもない。
【００１９】
ビデオエンコーダ４０は、メモリ制御回路３６から与えられた画像データをＮＴＳＣフォーマットに従うコンポジットビデオ信号に変換し、変換されたコンポジットビデオ信号を液晶モニタ４２に与える。この結果、被写界のスルー画像がモニタ画面に表示される。
【００２０】
信号処理回路２６によって生成された画像データを形成するＹデータ（＝８ビット）は、輝度評価回路２８にも与えられる。輝度評価回路２８は、与えられたＹデータを垂直同期信号に応答して積算し、各フレームの輝度評価値を算出する。
【００２１】
ＣＰＵ３０は、輝度評価回路２８によって評価された輝度評価値に基づいてスルー画像用ＡＥ処理を実行し、最適露光期間Ｔｐｒｅを算出する。算出された最適期間Ｔｐｒｅは、ＴＧ２４に設定される。ドライバ２２は、設定された最適露光期間Ｔｐｒｅに従うプリ露光を実行する。この結果、液晶モニタ４２に表示されるスルー画像の明るさが調整される。
【００２２】
シャッタボタン３２が半押しされると、ＣＰＵ３０は、輝度評価値を垂直同期信号に応答して取り込み、取り込まれた輝度評価値に基づいて記録画像用ＡＥ処理を実行する。この結果、最適露光期間Ｔｍａｉｎが短時間で求められる。
【００２３】
シャッタボタン３２が全押しされると、ＣＰＵ３０によって撮影／記録処理が実行される。ＣＰＵ３０はまず、本露光及び全画素読み出しの実行をＴＧ２４に命令し、本露光の開始から最適露光期間Ｔｍａｉｎが経過した時点でドライバ２０にメカニカルシャッタ１４の駆動を命令する。
【００２４】
ＴＧ２４はイメージセンサ１６に本露光を施し、メカニカルシャッタ１４は所望のタイミングでイメージセンサ１６への光の入射を遮断する。ＴＧ２４は、本露光によって生成された全ての電荷をメカニカルシャッタ１４の駆動後に読み出す。
【００２５】
ＣＰＵ３０は次に、ＪＰＥＧ圧縮をＪＰＥＧコーデック４４に命令する。ＪＰＥＧコーデック４４は、ＳＤＲＡＭ３８に格納された高解像度の画像データをメモリ制御回路３６を通して読み出し、読み出された画像データにＪＰＥＧ圧縮を施し、そして圧縮画像データをメモリ制御回路３６を通してＳＤＲＡＭ３８に書き込む。
【００２６】
圧縮画像データがＳＤＲＡＭ３８に確保されると、ＣＰＵ３０は、この圧縮画像データをメモリ制御回路３６を通して読み出す。読み出された圧縮画像データを含む画像ファイルは、Ｉ／Ｆ回路４６を通して記録媒体４８に記録される。
【００２７】
輝度評価回路２８は、図２に示すように構成される。ディジタルカメラ１０の電源を立ち上げると、スイッチ２８ｂは端子Ｔ１と接続される。信号処理回路２６から出力されるＹデータは、ビットシフト回路２８ａに与えられる。スイッチ２８ｂは、ＣＰＵ３０からＳＷ１切り換え命令（ＳＷ１＝Ｔ２）を与えられると、端子Ｔ２と接続される。信号処理回路２６から出力されるＹデータは、クリップ回路２８ｃに与えられる。また、ＣＰＵ３０からＳＷ１切り換え命令（ＳＷ１＝Ｔ１）が与えられると、スイッチ２８ｂは、再び端子Ｔ１と接続される。
【００２８】
ビットシフト回路２８ａは、与えられたＹデータを下位に1ビットだけシフトし、最上位ビットに０を割り当てる。これによって、Ｙデータの示す数値が半減される。ビットシフト回路２８ａから出力されたＹデータは、クリップ回路２８ｃに与えられる。クリップ回路２８ｃは、閾値（ＬＨ）以上を示すＹデータを無効化する。
【００２９】
つまり、スイッチ２８ｂが端子Ｔ２と接続されると、ゲイン“１”が付与されたＹデータがスイッチ２８ｂから出力される。一方、スイッチ２８ｂが端子Ｔ１と接続されると、ゲイン“０．５”が付与されたＹデータがスイッチ２８ｂから出力される。スイッチ２８ｂは、被写界の明るさが小さいとき端子Ｔ２と接続され、被写界の明るさが大きいときに端子Ｔ１と接続されるため、Ｙデータに付与されるゲインは、被写界の明るさが増大するほど、減少する。
【００３０】
信号処理回路２６から入力されたＹデータとクリップ回路２８ｃから出力されたＹデータとの関係を図３に示す。ＳＷ１＝Ｔ１のとき、ＲＹ１の範囲におけるＹデータは、クリップ回路２８ｃ出力後にＲＣの示す範囲に分布される。実線Ｌ１は、ＳＷ１＝Ｔ１のときにおけるクリップ回路２８ｃから出力されたＹデータの有効値を示す。また、ＳＷ＝Ｔ２のとき、ＲＹ２の範囲におけるＹデータは、クリップ回路２８ｃ出力後にＲＣの示す範囲に分布される。実線Ｌ２は、ＳＷ２＝Ｔ２のときにおけるクリップ回路２８ｃから出力されたＹデータの有効値を示す。
【００３１】
これにより、スイッチ２８ｂが端子Ｔ２と接続しているとき、ＲＹ２の範囲におけるＹデータつまり輝度が低い画像データが正確な輝度評価を受けることができる。一方、スイッチ２８ｂが端子Ｔ１と接続しているとき、輝度が高い画像データは、ビットシフト回路２８ａによって飽和することのない適当な明るさの画像データに変換される。
【００３２】
被写界は、図４（Ａ）に示すように水平方向および垂直方向の各々において１６分割され、合計２５６個の分割エリアが被写界上に分布する。ＳＲＡＭ２８ｅは、コントローラ２８ｆによって図４（Ｂ）に示すように２５６個のブロックにそれぞれ区分けされる。区分けされた複数のブロックはそれぞれ、上記の複数の分割エリアと対応する。
【００３３】
図２に戻って、コントローラ２８ｆは、クリップ回路２８ｃから出力されるＹデータの画素位置を特定し、特定された画素位置に対応するブロックの輝度評価値をＳＲＡＭ２８ｅから読み出す。読み出された輝度評価値は、クリップ回路２８ｃから出力されたＹデータと加算器２８ｄによって加算される。加算処理によって更新された輝度評価値は、コントローラ２８ｆによってＳＲＡＭ２８ｅに書き込まれる。書き込み先のブロックは、更新前の輝度評価値が読み出されたブロックと一致する。コントローラ２８ｆは、ＴＧ２４から垂直同期信号を入力される。ＳＲＡＭ２８ｅに書き込まれた輝度評価値は、垂直同期信号が発生する毎に、コントローラ２８ｆによって所定の遅延時間を置いてリセットされる。
【００３４】
スイッチ２８ｉは、ＣＰＵ３０からＳＷ２切り換え命令を受ける。スイッチ２８ｉが受けるＳ２切り換え命令は、スイッチ２８ｂに与えられるＳＷ１切り換え命令と同期する。ＳＷ１＝Ｔ１のときは、スイッチ２８ｉは端子Ｔ３と接続され、ＳＷ１＝Ｔ２のときは、スイッチ２８ｉは端子Ｔ４と接続される。
【００３５】
スイッチ２８ｉが端子Ｔ３と接続されているとき、コントローラ２８ｆは、ＳＲＡＭ２８ｅから与えられる輝度評価値を乗算器２８ｇに与える。レジスタ２８ｈは、ＣＰＵ３０から“２”を入力し、かかる値を乗算器２８ｇに与える。乗算器２８ｇは、輝度評価値と“２”とを掛け合わせた値をＣＰＵ３０に出力する。一方、スイッチ２８ｉが端子Ｔ４と接続されているとき、コントローラ２８ｆは、ＳＲＡＭ２８ｅから与えられる輝度評価値をＣＰＵ３０に与える。
【００３６】
つまり、スイッチ２８ｉが端子Ｔ４と接続されると、輝度評価値がそのままスイッチ２８ｉから出力される。一方、スイッチ２８ｉが端子Ｔ３と接続されると、係数“２”が掛けられた輝度評価値がスイッチ２８ｉから出力される。スイッチ２８ｉは、被写界の明るさが小さいとき端子Ｔ４と接続され、被写界の明るさが大きいときに端子Ｔ３と接続されるため、輝度評価値に付与される係数は、被写界の明るさが増大するほど、増大するする。
【００３７】
ＣＰＵ３０は、図５〜図６に示す撮影タスクを実行する。ＣＰＵ３０はμＩＴＲＯＮのようなマルチタスクＯＳを搭載したマルチタスクＣＰＵであり、図示しない複数のタスクと並列して撮影タスクを実行する。なお、このようなタスクに対応する制御プログラムは、フラッシュメモリ５０に記憶される。
【００３８】
図５を参照して、ステップＳ１では初期化処理を行い、スイッチ２８ｂが端子Ｔ１に接続され、スイッチ２８ｉが端子Ｔ３に接続される。ステップＳ３ではスルー画像処理を行い、被写界のスルー画像が液晶モニタ４２に表示される。ステップＳ５では、シャッタボタン３２が半押しされたか否かを判断する。ステップＳ５でＮＯと判断されると、ステップＳ７へ進み、後述する輝度評価処理を実行し、ステップＳ９へ進む。ステップＳ９では、スルー画像用ＡＥ処理を施し、ステップＳ５に戻る。ステップＳ５〜ステップＳ７の一連の動作の結果、プリ露光のための最適露光期間Ｔｐｒｅが更新される。これによって、スルー画像の明るさが適度に調整される。ステップＳ５でＹＥＳと判断されると、ステップＳ１１に進み、記録画像用ＡＥ処理を実行する。これによって、最適露光期間Ｔｍａｉｎが正確に求められる。
【００３９】
ステップＳ１３ではシャッタボタン３２が全押しされたか否か判別し、ステップＳ１５ではシャッタボタンが解除されたか否か判別する。シャッタボタン３２の操作が解除されたときはステップＳ５に戻り、シャッタボタン３２が全押しされたときはステップＳ１７で撮影／記録処理を行う。撮影／記録処理によって、平均測光に基づいて最適露光期間Ｔｍａｉｎに従う本露光が行われ、これによって撮影された被写界の画像データが圧縮状態で記録媒体４８に記録される。ステップＳ１７が完了すると、ステップＳ３に戻る。
【００４０】
ステップＳ７の輝度評価処理は、図６に示すサブルーチンに従う。ステップＳ２１では初期化処理を実行する。具体的には、ＬＨに１２８を設定し、Ｎに０を設定し、ｃｎｔに０を設定し、Ｂｌｏｃｋに２５６を設定し、そしてＰｅａｋに２０５を設定する。ＬＨは、スイッチ２８ａが端子Ｔ２と接続されているときのＹデータの閾値であり、ｃｎｔは、輝度評価値が閾値以下であるブロックの数を示し、Ｎは、輝度評価回路２８から出力される輝度評価値が属するブロックの識別番号である。Ｂｌｏｃｋは、ＳＲＡＭ２８ｅに形成されたブロックの数であり、Ｐｅａｋは、明るさの判定に使用する閾値である。
【００４１】
ステップＳ２３では、垂直同期信号が発生したか否か判断し、ＹＥＳであればステップＳ２５でＮがＢｌｏｃｋより小さいか否かを判別する。判断結果がＹＥＳのとき、ステップＳ２７に進む。ステップＳ２７では、Ｎ番目のブロックの輝度評価値（ＩｙＮ）が閾値（ＬＨ）以下か否かを判別する。判断結果がＮＯのとき、ステップＳ３１へ進む。一方、判断結果がＹＥＳのとき、ステップＳ２９に進みｃｎｔをインクリメントさせて、ステップＳ３１へ進む。ステップＳ３１では、Ｎをインクリメントさせて、再びステップＳ２５へ戻る。
【００４２】
ステップＳ２５で判断結果がＮＯとなると、輝度評価値の比較処理が完了したので、ステップＳ３３に進む。ステップＳ３３では、ｃｎｔがＰｅａｋより大きいか否かを判別する。判断結果がＹＥＳであれば、取り込んでいる被写界像は暗いと判断され、スイッチ２８ｂが端子Ｔ２に接続され、スイッチ２８ｉが端子Ｔ４に接続される。一方、判断結果がＮＯであれば、取り込んでいる被写界像は暗くないと判断され、スイッチ２８ｂが端子Ｔ１に接続され、スイッチ２８ｉが端子Ｔ３に接続される。スイッチ２８ｂおよびスイッチ２８ｉの設定が完了すると、上階層のルーチンに復帰する。
【００４３】
以上の説明から分かるように、信号処理回路２６は、イメージセンサ１６によって捉えられた被写界の明るさを示すＹデータを生成する。生成されたＹデータは、ビットシフト回路２８ａによってビットシフトを施される。スイッチ２８ｂは、被写界の明るさに応じてビットシフト回路２８ａをオン／オフする。ＣＰＵ３０は、ビットシフトを施されたＹデータに基づいて輝度評価値を評価する。ＣＰＵ３０によって求められた輝度評価値は、乗算器２８ｇによって“２”を掛けられる。スイッチ２８ｉは、被写界の明るさに応じて乗算器２８ｇをオン／オフする。イメージセンサ１６の露光量は、乗算器２８ｇによって求められた掛け算値に基づいて、ＣＰＵ３０によって調整される。
【００４４】
このように、Ｙデータは被写界が明るいときシフトビットするシフトビット回路２８ａに従ってシフトビットされ、輝度評価値はシフトビットされたＹデータに基づいて求められる。これによって、被写界の明るさが大きく変動するときでも、この明るさを的確に評価することができる。また、求められた輝度評価値は、被写界が明るいとき乗算器２８ｇによって“２”を掛けられる。この結果、シフトビット回路２８ａに起因する輝度評価値のずれが解消され、共通の手順で露光量を調整することができる。
【００４５】
なお、この実施例では、上述した各閾値ＬＨおよびＰｅａｋについて説明したが、説明した以外の値に適宜設定してもよい。
【００４６】
また、この実施例では、平均測光によって露光設定を施しているが、平均測光に代えて中央重点測光やスポット測光を採用するようにしてもよい。
【００４７】
さらに、この実施例では、ＣＣＤイメージャによって被写界像を撮影するようにしているが、ＣＣＤイメージャに代えてＣＭＯＳイメージャを採用するようにしてもよい。
【００４８】
なお、この実施例では、Ｙデータを８ビットレートとしてこの発明を適用する場合につて説明したが、１６ビットレートなどの他のレートにもこの発明を適用することができる。
【００４９】
また、この実施例では、ディジタルカメラ１０にこの発明を適用する場合について説明したが、ビデオカメラなどの他のカメラにもこの発明を適用することができる。
【図面の簡単な説明】
【００５０】
【図１】この発明の一実施例の構成を示すブロック図である。
【図２】図１実施例の動作の一部を示すブロック図である。
【図３】図１実施例に適用される輝度評価回路の動作の一例を示す図解図である。
【図４】（Ａ）は被写界に割り当てられた複数の分割エリアのマッピング状態の図解図であり、（Ｂ）はＳＲＡＭの分割エリアの一例を示す図解図である。
【図５】図１実施例に適用されるＣＰＵの動作の一部を示すフロー図である。
【図６】図１実施例に適用されるＣＰＵの動作の他の一部を示すフロー図である。
【符号の説明】
【００５１】
１０  …  ディジタルカメラ
１６  …  イメージセンサ
２６  …  信号処理回路
２８  …  輝度評価回路
３０  …  ＣＰＵ
３６  …  メモリ制御回路
３８  …  ＳＤＲＡＭ
４０  …  ビデオエンコーダ
４４  …  ＪＰＥＧコーデック
【図１】
2006128872.tif 000003
【図２】
2006128872.tif 000004
【図３】
2006128872.tif 000005
【図４】
2006128872.tif 000006
【図５】
2006128872.tif 000007
【図６】
2006128872.tif 000008